(57)【要約】      （修正有）【課題】  ジュース、お茶、ビールなどを入れたアルミニューム缶やスチール缶の空き缶を、小容積化し、保管、回収の効率をよくする缶の構造と潰す方法を提供する。【解決手段】  円筒状部１と、その上下端に蓋部２と底部３をそなえたアルミニュームやスチールの缶において、円筒状部１の蓋部２から底部３側へ、円筒状部１の半径にほぼ相当する間隔ａの位置に、少なくとも半周の凹溝４を形成しており、底部３から蓋部２側へ、同様に円筒状部１の半径にほぼ相当する間隔ｂの位置に、凹溝４と同じ側または反対側に少なくとも半周の凹溝５を形成している。このようにした缶の使用後の空き缶を、円筒状部１の凹溝４，５相互間を径方向に押圧して扁平に潰し、凹溝部から折り曲げられた蓋部２および底部３を扁平に押し潰した円筒状部１に重ねるように押し付けて全体を扁平に押し潰す。【選択図】      図１
2008030761.tif 000002
【特許請求の範囲】
【請求項１】
円筒状部と、その上下端に蓋部と底部をそなえた缶において、円筒状部の上下端から、それぞれ円筒状部の半径にほぼ相当する位置に、少なくとも半周の凹溝を形成したことを特徴とする潰し易くした缶。
【請求項２】
前記凹溝が、円筒状部のマークに沿って、空き缶の状態で凹みを付けて形成される請求項１記載の潰し易くした缶。
【請求項３】
円筒状部と、その上下端に蓋部と底部をそなえた缶において、円筒状部の上下端から、それぞれ円筒状部の半径にほぼ相当する位置に、少なくとも半周の凹溝を形成し、空き缶の状態で、前記凹溝相互間の円筒状部を径方向に押圧して扁平に潰し、前記凹溝から折り曲げられた蓋部および底部を前記扁平に潰した円筒状部に重ねるようにしたことを特徴とする缶の押し潰し方法。
【請求項４】
前記折り曲げられた蓋部および底部が、扁平に潰した円筒状部の同じ側に重なるようにした請求項３記載の缶の押し潰し方法。
【請求項５】
前記折り曲げられた蓋部および底部が、扁平に潰した円筒状部の反対側に重なるようにした請求項３記載の缶の押し潰し方法。
【発明の詳細な説明】
【技術分野】
【０００１】
本発明は、ジュース、お茶、ビールなどを収納し、飲んだ後は廃棄されるアルミニューム缶やスチール缶容器の小容積化に関するもので、手で簡単に潰せるようにしたことを特徴とするものである。
【背景技術】
【０００２】
従来、ジュース、お茶、ビールなどの販売ルートで使用されているアルミニューム缶やスチール缶は、リサイクルのため自治体や業者などで回収しているが、空き缶が嵩張るために回収処理が面倒であった。このため、使用後の空き缶は缶容器を潰すように要望されており、梃子や歯車を利用した缶潰し器が提案されているが、費用が掛かり面倒なため一般家庭に普及されておらず、原型のまま、もしくは消費者が簡単に足で踏んで変形させる程度の処理で廃棄されている。
【０００３】
このような空き缶を潰し易くするため、缶に多数の周方向溝を設けて上下方向に押し潰すようにしたものや（特許文献１、特許文献２、特許文献３など）、傾斜方向の溝を設けて上下端を持って捻じり潰すようにしたもの（例えば特許文献４、特許文献５、特許文献６など）があり、特許文献６ではアルミニューム缶に傾斜した線を印刷して、この線に沿ってコインなどで凹みを付けて捻じるようにしている。また、缶を蛇腹形状に成形して、前記周方向溝を設けたものと同様の効果を得られるようにしたものも提案されている。（特許文献７、特許文献８、特許文献９、特許文献１０など）
【０００４】
【特許文献１】実開平３−４０９３９号
【特許文献２】特開平９−７７０７２号
【特許文献３】特開平１１−２４５９４２号
【特許文献４】特開平６−２９３３４０号
【特許文献５】実開平６−３５１２２号
【特許文献６】特開２００２−２９５３７号
【特許文献７】特開平６−９２３４１号
【特許文献８】特開平１０−２１８１７５号
【特許文献９】特開平６−１９９３４６号
【特許文献１０】実開平４−７４１８号
【発明の開示】
【発明が解決しようとする課題】
【０００５】
上述のように、使用後の空き缶を押し潰して小容積化するための缶構造は多数提案されているが、缶の軸方向に押し潰すようにしており、周方向に多数の溝を設けたものでは、缶の製作が面倒で、小さな溝では缶を上下方向に押し潰すためには、かなりの力が必要で手の力だけでは潰しにくく、床に置いて足で踏み潰すなどの必要があり、特に自動車内等で使用した缶を車内で潰す作業が困難で、嵩張るために車外に捨てる要因になっている。これは蛇腹形状にした場合も同様で、缶の構造も複雑になる欠点がある。また、傾斜方向の溝を設けて手で周方向に捻じり潰すものでは、捻じるために強い力を要し、潰された後の高さを小さくするためには上下から足などで押し付けねばならず、小容積化が十分に行なわれなかった。
本発明は、缶の円筒部を径方向に潰すことによって指の力で潰すことができ、蓋部と底部を潰した円筒部に重ねて折り曲げるようにし、扁平な形状に潰すことができる缶構造と、その潰し方を提供し、小容積化を有効に行なわせるものである。
【課題を解決するための手段】
【０００６】
このため本発明は、円筒状部と、その上下端に蓋部と底部をそなえたアルミニュームやスチールの缶において、円筒状部の上下端から、それぞれ円筒状部の半径にほぼ相当する位置に少なくとも半周の凹溝を形成するようにしている。
このようにした缶の使用後の空き缶を、円筒状部の凹溝相互間を径方向に押圧して扁平に潰し、前記凹溝部から折り曲げられた蓋部および底部を前記扁平に押し潰した円筒状部に重ねるように押し付けることを特徴にしている。
なお、蓋部および底部は、扁平に潰した円筒状部の同じ側に曲げることができるが、円筒状部の長さが短い場合は、蓋部と底部を反対の側に曲げることが望ましい。
また、凹溝は折り目をつくるためであるので、あらかじめ缶に細い凹みを形成しておいてもよいが、アルミニューム缶のように柔らかい場合は、潰すときに缶に付けたマークに沿ってコインや細い棒などで凹みを付けて形成することができる。
【発明の効果】
【０００７】
このように本発明は、円筒状部と、その上下端に蓋部と底部をそなえた缶において、円筒状部の上下端からそれぞれ円筒状部の半径にほぼ相当する位置に、少なくとも半周の凹溝を形成しており、使用後の空き缶を、前記円筒状部の凹溝相互間を径方向に押圧して扁平に押し潰し、前記凹溝から折り曲げられた蓋部および底部を前記扁平に押し潰した円筒状部に重ねるようにしているので、径方向に押圧するため円筒状部の剛性が弱く、指の力で容易に押し潰すことができ、蓋部および底部が円筒状部の押し潰しに伴って折り曲げられ、器具や足で潰さなくても、十分な小容積化を行ない得る効果があり、空き缶の保管や回収の効率を向上させることができる。
また、手だけで十分な押し潰しができ、扁平状態になるので、押し潰しを簡単に楽しく行なうことができ、車内や歩きながらでも処理が可能で、軸方向に潰すよりも容易に、空き缶の収納スペースを小さくすることができる。
【発明を実施するための最良の形態】
【０００８】
円筒状部と、その上下端に蓋部と底部をそなえたアルミニューム缶あるいはスチール缶において、円筒状部の蓋部から底部側へ、円筒状部の半径にほぼ相当する間隔の位置に、少なくとも半周の凹溝を形成しており、底部から蓋部側へ、同様に円筒状部の半径にほぼ相当する間隔の位置に、前記凹溝と同じ側または反対側に少なくとも半周の凹溝を形成している。
この缶の使用後の空き缶を、前記円筒状部の凹溝相互間を指で径方向に押圧して扁平に潰し、押し潰しによって凹溝から折り曲げられた蓋部および底部を、前記扁平に潰した円筒状部に重ね、できるだけ重ね方向に押し付けている。
【実施例】
【０００９】
これを図の実施例について説明する。
図１は本発明の実施例を示す構造説明図、図２は円筒状部を径方向に押し潰した状態の側面図、図3は押し潰した状態の平面図である。
1は缶の円筒部、２は蓋部、３は底部、４、５は周方向の凹溝、ａは蓋部２と凹溝4との間隔、ｂは底部２と凹溝５との間隔で、この間隔は、いずれも円筒部１の半径とほぼ等しい長さにしている。なお、凹溝４、５は円筒部１の全周に設けているが、蓋部２および底部３を折り曲げる方向の半周部分に設けておけばよく、蓋部２および底部3との間隔ａ、ｂも厳密に円筒部１の半径に合わせる必要はない。
【００１０】
使用後の空き缶を凹溝4の底部側に親指を当てて持ち、径方向に押圧すると円筒部１が容易に潰され、図２のように、蓋部２が凹溝4から折り曲げられ蓋部２の半分が潰された円筒部１に重ねられる。同様に凹溝５の蓋部側を径方向に押圧して潰すと、底部３が凹溝５から折り曲げられ半分が潰された円筒部１に重なる。凹溝4、５間の円筒部全面を扁平に押し潰し、重なった蓋部２、底部３をできるだけ扁平にした円筒部１に押し付けると、図３のように円筒部１が広がり、その上に蓋部２と底部３が重なって潰され小容積化される。
【００１１】
円筒部１が短く、蓋部２と底部３を同じ側に折り曲げると、互いに重なる場合は、図４のように一方を反対側に曲げるようにすることが望ましい。
また、円筒部１を径方向に押圧するので、手で押し潰して扁平にすることができるが、押し潰した後で蓋部２と底部３を踏みつけると、さらに扁平になって小容積化させ得る。
なお、凹溝4、５は、蓋部２と底部３を折り曲げる折り目になる線であり、あらかじめ細い溝を付けておけばよく、飲み物が充填されていれば缶が潰されることはなく、アルミニューム缶のように軟らかい缶であれば、缶に線状のマークを付しておき、空き缶の状態でコインや細い棒でマークに沿って凹溝を設けることもできる。マークは缶に印刷した線でもよく、ラベルの模様を用いるようにしてもよい。
【図面の簡単な説明】
【００１２】
【図１】本発明の缶の実施例を示す側面図である。
【図２】缶を潰した状態を示す側面図である。
【図３】缶を潰した状態を示す平面図である。
【図４】缶を潰した状態を示す他の側面図である。
【符号の説明】
【００１３】
１円筒部
２  蓋部
３  底部
４、５  凹溝
【図１】
2008030761.tif 000003
【図２】
2008030761.tif 000004
【図３】
2008030761.tif 000005
【図４】
2008030761.tif 000006